【手続補正書】
【提出日】平成18年8月23日(2006.8.23)
【手続補正１】
【補正対象書類名】明細書
【補正対象項目名】特許請求の範囲
【補正方法】変更
【補正の内容】
【特許請求の範囲】
【請求項１】
記憶媒体上のサーボデータの配列のために、複数のタイミングマークを伝搬する方法であって、
タイミングマークのセットから、少なくとも第１のタイミングマークの一部の通過を検出し、前記第１のタイミングマークは第１の半径方向のそして第１の円周方向の位置にあり、
遅延期間が終わるのを待ち、そして第２のタイミングマークを書き込み、該第２のタイミングマークは第２の半径方向のそして第２の円周方向の位置にあり、当該第２のタイミングマークは前に書き込まれたタイミングマークの半径方向のエクステンションではなく、
読み出し書き込みヘッドを半径方向に１ステップ移動させることを特徴とする複数のタイミングマークを伝搬する方法。
【請求項２】
さらに、前記第１のタイミングマークのエクステンションを検出し、予め定められた時間を待ち、前記第２のタイミングマークに第２のタイミングマーク・エクステンションを書き込み、そして第３のタイミングマークに第３のタイミングマーク・エクステンションを書き込むことを特徴とする請求項１記載の複数のタイミングマークを伝搬する方法。
【請求項３】
さらに、前記第１のタイミングマークのエクステンションを検出し、予め定められた時間を待ち、前記第２のタイミングマークに少なくとも１つのタイミングマーク・エクステンションを書き込むことを特徴とする請求項１記載の複数のタイミングマークを伝搬する方法。
【請求項４】
さらに、前記第１のタイミングマークのエクステンションを検出し、予め定められた時間を待ち、第２の位置におけるタイミングマークの少なくとも１つのエクステンションの書き込みが削除されたときに、少なくとも１つのタイミングマーク・エクステンションを第３のタイミングマークに書き込むことを特徴とする請求項１記載の複数のタイミングマークを伝搬する方法。
【請求項５】
さらに、前記第１のタイミングマークのエクステンションの検出を繰り返し、特定された時間を待ち、タイミングマーク・エクステンションを前記第２のタイミングマークに書き込み、そして第４の円周方向の位置にタイミングマークを書き込むことを特徴とする請求項１記載の複数のタイミングマークを伝搬する方法。
【請求項６】
さらに、前記第１のタイミングマークのエクステンションの検出を繰り返し、特定された時間を待ち、タイミングマーク・エクステンションを第３のタイミングマークに書き込み、そして第５の円周方向の位置にタイミングマークを書き込むことを特徴とする請求項１記載の複数のタイミングマークを伝搬する方法。
【請求項７】
さらに、前記第１のタイミングマークの検出を繰り返し、特定された時間を待ち、予め定められた半径方向のステップ数Ｎ１について、前記第２と第３のタイミングマークにエクステンションを書き込むことを特徴とする請求項２記載の複数のタイミングマークを伝搬する方法。
【請求項８】
さらに、前記第１のタイミングマークの検出を繰り返し、特定された時間を待ち、予め定められた半径方向のステップ数Ｎ１について、前記第２のタイミングマークにエクステンションを書き込むことを特徴とする請求項２記載の複数のタイミングマークを伝搬する方法。
【請求項９】
さらに、前記第１のタイミングマークの検出を繰り返し、特定された時間を待ち、第２の位置におけるタイミングマークのエクステンションの書き込みが削除されたときに、予め定められた半径方向のステップ数Ｎ１について、前記第３のタイミングマークにエクステンションを書き込むことを特徴とする請求項２記載の複数のタイミングマークを伝搬する方法。
【請求項１０】
さらに、前記第１のタイミングマークの検出を繰り返し、特定された時間を待ち、予め定められた半径方向のステップ数Ｎ１について、前記第２のタイミングマークにタイミングマーク・エクステンションを書き込み、そして第４の円周方向の位置にタイミングマークを書き込むことを特徴とする請求項２記載の複数のタイミングマークを伝搬する方法。
【請求項１１】
さらに、前記第１のタイミングマークの検出を繰り返し、特定された時間を待ち、予め定められた半径方向のステップ数Ｎ１について、前記第３のタイミングマークにタイミングマーク・エクステンションを書き込み、そして第５の円周方向の位置にタイミングマークを書き込むことを特徴とする請求項２記載の複数のタイミングマークを伝搬する方法。
【請求項１２】
Ｎ１は、半径方向ステップの距離を単位として測った場合に、記録ヘッドの読み出しから書き込みへの半径方向のオフセットから前記記録ヘッドの書き込みヘッド幅の１／２を差し引いたものに最も近い半径方向のステップ数に等しいことを特徴とする請求項７記載の複数のタイミングマークを伝搬する方法。
【請求項１３】
記憶媒体上のサーボデータの配列のために、複数のタイミングマークを伝搬する方法であって、
タイミングマークのセットから、少なくとも第１のタイミングマークの一部の通過を検出し、該第１のタイミングマークは第１の半径方向のそして第１の円周方向の位置にあり、
第１の遅延期間が終わるのを待ち、そして第２のタイミングマークを書き込み、該第２のタイミングマークは第２の半径方向のそして第２の円周方向の位置にあり、
第２の遅延期間が終わるのを待ち、そして第３のタイミングマークを書き込み、該第３のタイミングマークは前記第２の半径方向のそして第３の円周方向の位置にあり、そして当該第３のタイミングマークは前に書き込まれたタイミングマークの半径方向のエクステンションではないことを特徴とする複数のタイミングマークを伝搬する方法。
【請求項１４】
さらに、読み出し書き込みヘッドを半径方向に１ステップ移動させることを特徴とする請求項１３記載の複数のタイミングマークを伝搬する方法。
【請求項１５】
さらに、前記第１のタイミングマークのエクステンションを検出し、予め定められた時間を待ち、前記第２と第３のタイミングマークに第２と第３のタイミングマーク・エクステンションを書き込むことを特徴とする請求項１４記載の複数のタイミングマークを伝搬する方法。
【請求項１６】
さらに、前記第１のタイミングマークの検出を繰り返し、特定された時間を待ち、予め定められた半径方向のステップ数Ｎ１について、前記第２と第３のタイミングマークにエクステンションを書き込むことを特徴とする請求項１５記載の複数のタイミングマークを伝搬する方法。
【請求項１７】
回転記憶媒体上のサーボデータの配列のために、複数のタイミングマークを伝搬するシステムであって、
複数のタイミングマークをタイミンググループに配置する編成ユニットと、
タイミングマークを起動タイミングマークとして用いながら、タイミングマークを書き込む書き込みユニットとを有し、
前記書き込みユニットはタイミングマーク・エクステンションを書き込むことを特徴とするシステム。
【請求項１８】
回転記憶媒体上のサーボデータの配列のために、複数のタイミングマークを伝搬するシステムであって、
複数のタイミングマークをタイミンググループに配置する編成ユニットと、
タイミングマークを起動タイミングマークとして用いながら、タイミングマークを書き込む書き込みユニットとを有し、
前記書き込みユニットは回転記憶媒体の全半径を通して連続的にタイミングマークを書き込むことがないことを特徴とするシステム。
【請求項１９】
前記書き込みユニットは各タイミングマークから離して二つのタイミングマークを書き込み、その結果前記二つのタイミングマークは通常のタイミングマークの長さの少なくとも２倍の長さであることを特徴とする請求項１７記載のシステム。
【請求項２０】
タイミングマークグループは、さらにタイミングマークスロットを有することを特徴とする請求項１７記載のシステム。
【請求項２１】
読み出しヘッドにより円周方向の位置でタイミングマークを検出する時と、書き込みヘッドにより前記円周方向の位置にタイミングマーク・エクステンションを書き込む時との間の時間間隔は、前記タイミングマークの持続時間より少ないことを特徴とする請求項１記載の複数のタイミングマークを伝搬する方法。
【請求項２２】
前記記録媒体上において前記書き込みヘッドが前記読み出しヘッドより先行することで、前記書き込みヘッドがタイミングマーク・エクステンションを書き込むために前記円周方向の位置に位置決めされる前に、前記円周方向の位置で前記タイミングマークが検出されることがないようにすることを特徴とする請求項２１記載の複数のタイミングマークを伝搬する方法。
【請求項２３】
前記書き込みヘッドと前記読み出しヘッドがタイミングマークに関連して同じ円周方向の位置にあることで、前記円周方向の位置に前記タイミングマーク・エクステンションを書き込む前に前記タイミングマークの検出が行われることがないようにすることを特徴とする請求項２１記載の複数のタイミングマークを伝搬する方法。